(57)【要約】      （修正有）【課題】内部に照明用の表示灯を備え、表面に表わす絵柄を照明するようにした表示装置を簡単且つ確実に形成する。【解決手段】取付基板９と、取付基板９に備える表示灯１６を被う表示灯カバー１１と、この取付基板９と表示灯カバー１１とに被せる筒形の表示体１２とを以て構成し、前記表示体１２は熱収縮性の合成樹脂延伸フィルムによって形成して筒内部に抱き合せにして前記取付基板９と表示灯カバー１１を収めた後、該表示体１２を加熱収縮して密着させ、上記抱き合せ状態に結束して組立てる。【選択図】図５
2007175386.tif 000002
【特許請求の範囲】
【請求項１】
取付基板には表示灯を備える表示灯基板を添わせ、その上から表示灯カバーを被せることによって内部に前記表示灯を収容する表示装置本体部を構成する一方、該表示装置本体部とは別体に熱収縮性合成樹脂延伸フィルムにより筒形の表示体を形成して該表示体を前記表示装置本体部に嵌合し被覆したのち、該表示体を加熱収縮して前記表示装置本体部の表面に密着させ、結束することによって前記取付基板、表示灯基板、表示灯カバーを一体に結束組立てることを特徴とした表示装置。
【請求項２】
請求項１の記載において、表示灯カバーは光透過性の合成樹脂を材料に形成することを特徴とした表示装置。
【請求項３】
請求項１又は２の記載において、表示灯カバーには外表面部に表示体を受け入れるずれ止め用凹部を形成することを特徴とした表示装置。
【請求項４】
請求項１又は２の記載において、取付基板と表示灯カバーとは横の幅員を揃えて形成すると共に、取付基板の両側縁部と表示灯カバーの外表面部には相互に連続する表示体のずれ止め用凹部を形成することを特徴とした表示装置。
【請求項５】
請求項１乃至４の記載において、表示体は着色した熱収縮性合成樹脂延伸フィルムをであることを特徴とした表示装置。
【請求項６】
請求項１乃至５の記載において、表示体は表面に絵柄を表現した熱収縮性合成樹脂延伸フィルムであることを特徴とした表示装置。  
【発明の詳細な説明】
【技術分野】
【０００１】
本発明は、パチンコ遊技機等の遊技機において装飾用乃至表示用として使用される表示装置に関する。
【背景技術】
【０００２】
パチンコ機の遊技盤には入賞を表示したり、遊技盤面を飾るために表示灯を備えた表示装置が設置される。
通常この表示灯付き表示装置は、遊技盤に取付けるための取付基板に表示灯を固定し、この表示灯を包むように表示灯カバーを装着して点灯、或は点滅する表示灯の光をこの
表示灯カバーを透して発光させ、表示乃至装飾に使っている。
【０００３】
このため、表示装置は一般には表示灯に着色したりすることなく表示灯カバーに着色して色を表示したり、模様付けして装飾している。従って、色彩や模様を選択、決定する場合は表示灯カバーを選択することによって行っているのが普通である。
つまり、表示灯付き表示装置においては、大きさ形状等が異なる場合は別にして、同一の大きさであり、形状が一定である場合は、取付基板と別体に形成する表示灯カバーを代えることで色彩、模様を違えた全く異なる表示乃至装飾用の表示装置とすることができる。
【０００４】
この様な取付基板と表示灯カバーとを別体に形成して、両者の組合せによって表示装置を形成するものとして、例えば特許文献１乃至３に示すものがある。
【特許文献１】実公平４−３３８８４号公報、実用新案登録請求の範囲の項、図面の第２図及び第３図。
【特許文献２】実公平４−４６７８５号公報、実用新案登録請求の範囲の項、図面第１図、第３図、第４図。
【特許文献３】実公平７−４６３０２号公報、実用新案登録請求の範囲の項、明細書段落０００９、図面の図１。
【０００５】
上記特許文献１に記載の表示用ランプは、取付基板５ａと、ランプ６のカバー５ｂとからなっており、カバー５ｂに設ける係止爪１３付きの係止片１４を取付基板５ａに設ける係止受部１１に凹部１０を貫いて掛け止めることで一体に結合させ、表示用ランプを形成する、としたものである。
【０００６】
また、特許文献２に記載される表示ランプ装置は、取付基板６ａにソケット基板１０を介して予めランプ９を取付けておき、このランプを被うように主カバー６ｂと従カバー６ｃを装着する構造に係り、この装着においては主カバー６ｂの係止片１８を取付基板６ａに穿つ係止凹部１３に掛止めることで組合うものとしている。
【０００７】
また、特許文献３に記載のランプ表示器は、本体ベース７に予めランプ基板１０を介してランプ９を取付け、このランプ９を被うように本体ベース７に表示器カバー１２を取付けるものとしており、この両者を取付孔１６と１７、また取付孔１８と１９にねじを通して締付けることで一体に固定するものとしている。
【０００８】
これらの例において示されるように、表示装置そのものは簡単な構造に係るものとなっており、そのいずれの例も取付基板を中心にして、これとは別体に形成するカバー部材を係止片と係止部の結合によって、或はねじ止めによって結合し、組立てるものとしている。
しかし、簡単な構造ではあるが、取付基板にランプカバーを取付けるには係止片や係止部を備えるか、ねじ止めの取付孔を穿ってこれにねじを揉み込む必要があり、取付けのための手段を必ず準備しておく必要がある。
【０００９】
また一方、上記従来のランプ表示器においては、取付基板に対してランプカバーを別体に形成することに加えて、装飾部品として使用する以上少なくともランプカバーには着色するか、絵柄を表示し、模様付けする必要がある。
従来、この様な場合においての着色乃至模様付けは、表面にシールを貼って行ったり、或は印刷することで色彩乃至模様付けしているのが一般的であり、最近では印刷技術の向上に伴って印刷による着色、模様付けが普及している。例えば特許文献４、５に記載される例がそれである。
【特許文献４】実開平５−８４３７４号公報。特許請求の範囲の項、図面の図１。
【特許文献５】特開２００２−５２１６０号公報。特許請求の範囲の項、図面の図１、図３。
【００１０】
これらの文献にも開示されるように、部品に着色し、或は模様付けする際は、部品の原料に着色材を混入して予め一定の色に着色してしまうこともあるが、部品の表面にシールを貼る他に、各種の印刷技法によって色彩を、また模様を印刷し表現することが行われている。
【００１１】
しかし、これらの色彩、模様の表現は、対象をランプ表示装置としたときランプカバーに対して直接行なうことになる。つまり、この表現は個々のランプカバーに対して実施することになる。
この個々のランプカバーに色彩を施し、模様付けすることはランプ表示装置において従来から普通に行われていることではあるが、この様にした場合、ランプカバーの装飾が特定するため、これを部品として他に転用することができなくなる。つまり、部品としてリユースする場合大きな制約を伴うことになる。
【発明の開示】
【発明が解決しようとする課題】
【００１２】
従って、本発明は上述の従来の事情に鑑み、取付基板と、これに組込むランプ、つまり表示灯と、この表示灯を被う表示灯カバーとを個別に形成し、これらを組合せることによって形成する表示灯付きの表示装置において、取付基板と表示灯カバーとの組合せをより簡潔にして製造性を高めると同時に、表示灯カバー自体には着色や模様付け等をすることなく、同一の表示灯カバーによって異なる着色の、或は模様付けをすることができる表示装置を提供しようとするものである。
【００１３】
つまり、本発明は、取付基板と取付基板に装着する表示灯を被う表示灯カバーの双方には互いを組合せる係止片及び係止受部等の結合のための手段を設けることなく、これによって最も単純な形態において製造できるようにすること、そして表示灯カバーには原則として着色や模様付けを省略した上で所要の色彩を付した、或は模様付けした表示装置を提供しようとするものである。
【課題を解決するための手段】
【００１４】
本発明は、上記目的を達成するため、この取付基板と、この取付基板に備えられる表示灯を被う表示灯カバーとの組合せによって形成される表示装置にあって、これらとは別体をなす表示体を熱収縮性の合成樹脂フィルムを材料にして筒形に形成し、該表示体を重ね合せにする前記取付基板と表示灯カバーに被せて加熱収縮し、これによって取付基板と表示灯カバーを結束して一体に組付けるもので、同時にこの表示体に表示する色若しくは模様によって上記表示灯カバーの表面を着色し、或は模様付けして装飾するようにしたことにある。      
【００１５】
本発明は、上述するように、取付基板と表示灯カバーからなる表示装置において、この両者を結束する手段として筒形をなす表示体を組入れ、この表示体の収縮力を利用して取付基板と表示灯カバーとを結束し、組立てるものとしたもので、係止片等の結合手段を設けることなく簡単に組立られるところに特徴を有する。
そして同時に本発明における前記表示体は結束の手段となるばかりでなく、表示装置に求められる装飾手段をも備えるものであり、この表示体による結束によって表示灯カバーの表面に表示体に表わす色彩や模様をそのまゝ転写する如く表わし、着色乃至模様付けできることに特徴を有する。
【００１６】
更に本発明を詳述すると、本発明は取付基板には表示灯を備える表示灯基板を添わせ、その上から表示灯カバーを被せることによって内部に前記表示灯を収容する表示装置本体部を構成する一方、該表示装置本体部とは別体に熱収縮性合成樹脂延伸フィルムにより筒形の表示体を形成して該表示体を前記表示装置本体部に嵌合し被覆したのち、該表示体を加熱収縮して前記表示装置本体部の表面に密着させ、これにより結束することによって前記取付基板、表示灯基板、表示灯カバーを一体に結束組立てることを特徴とした表示装置を提供することにある。
【００１７】
また本発明は、前記表示灯カバーは光透過性の合成樹脂を材料に形成することを特徴とした表示装置を提供することにある。
【００１８】
また本発明は、前記表示灯カバーには外表面部に表示体を受け入れるずれ止め用凹部を形成することを特徴とした表示装置を提供することにある。
【００１９】
また本発明は、前記取付基板と表示灯カバーとは横の幅員を揃えて形成すると共に、取付基板の両側縁部と表示灯カバーの外表面部には相互に連続する表示体のずれ止め用凹部を形成することを特徴とした表示装置を提供することにあり、更に前記表示体は着色した熱収縮性合成樹脂延伸フィルムをであることを特徴とした表示装置を提供することにある。
【００２０】
従って、上記本発明の表示装置は、表示装置本体部を構成する取付基板及び表示灯カバーを合成樹脂を材料にして個別に成形することになる。この内、表示灯カバーについては表示灯の光を透過する上から光透過性の透明若しくは半透明の合成樹脂を材料にして形成することになる。
上記表示灯カバーは透明である場合を別にして半透明とする場合は着色して予め一定の色彩を付すこともある。
【００２１】
一方、前記表示体は、取付基板と表示灯カバーとを結合する結合手段となると同時に、表示灯カバーの装飾手段ともなるもので、熱収縮性の合成樹脂の延伸フィルムによって形成される。
また、この表示体は、着色した延伸フィルムを材料にして、また着色フィルムに印刷することで絵柄等の模様を表現したものを材料に、或は無着色のフィルムに模様を表現したものを材料にして成形される。
【００２２】
上記模様など絵柄の表現は、延伸フィルムを平面に展開したフィルムの状態にして印刷することによって表現することになる。その後、このフィルムを筒状に形成し、表示体を形成することになる。
筒形をなす表示体は、材料の収縮率によっても異なるが、その内径を被覆する取付基板と表示灯カバーを組合せたときの胴周りの長さに略等しい長さに形成し、抱き合せに組合せた取付基板と表示灯カバーをこの表示体に挿通し、嵌め付けられるようにする。
【００２３】
尚、表示体を形成する延伸フィルムとして、例えばポリ塩化ビニル、ポリオレフィン系樹脂、ポリエステル系樹脂、ポリスチレン系樹脂等の熱収縮性の合成樹脂製の延伸フィルムを選択することができるが、実施に際しては着色や印刷等の加工を考慮して選択すればよいことになる。
【００２４】
さて、本発明の表示装置は、デザイン設計に基づき、一定の形状が決定されることになるが、取付基板を中心にして、これに装着する表示灯基板、つまり表示灯のプリント基板が定まり、更にこの表示灯基板を囲み、上記取付基板に適合させた表示灯カバーの形状が決定されることになる。
取付基板に対する表示灯基板の組付けは自由であるが、好ましくは取付基板の上面に添わせてその上から重ねる表示灯カバーとの間に挟み込み、取付基板と表示灯カバーとの抱き合せの間に介挿するようにするとよい。
【００２５】
上記表示灯カバーは、表示灯を包み込むことからこれを収容できる椀形乃至舟形の形状が適当であり、取付基板の上面に被せて表示灯を包み込むことになる。
この表示灯カバーの取付基板に対する抱き合せを安定させ、又組付けを的確にするため両者間に位置決め手段を介在させることが適当である。このときの位置決め手段の一つとして前述したように、例えば取付基板の上面に表示灯カバーの縁部を受け入れる凹部を形成し、組合せ時に嵌め込むようにすると安定した組合せと、この組合せ作業を円滑に行うことができることになる。
【００２６】
本発明の表示装置は、取付基板に対する表示灯基板の組付け、更に表示灯カバーを被せて三者を一つに組合せたところで前記筒形に形成した表示体に差し入れ、この表示体によって包み込み、そうした後、この表示体をその材料に適した温度で加熱収縮させ、縮径させることによって取付基板及び表示灯カバーに密着させるのである。そして、この密着によってこの両者を結束し、組合った状態に拘束固定して表示装置を完成させるのである。
【００２７】
ところで、前記表示体は、延伸フィルムによって単なる筒形に形成されるものであるため、取付基板と表示灯カバーとを結束する際、位置ずれを起こすことがある。これに対応するため、本発明では前記表示灯カバー表面に小突起部を形成し、収縮する表示体に掛止めて位置ずれを防止し、或は表示灯カバーの表面に表示体が巻付く範囲に筒の一部が入り込む凹部を形成し、収縮時にこの凹部に表示体を受け入れてずれ止めする方法を採っている。
【００２８】
上記凹部の形成は、表示体を加熱収縮することによって取付基板と表示灯カバーを結束する際に、位置ずれを防止するのと同時に、この凹部に嵌め付けることによって定位置に巻付けることができることから、表示灯カバーに対してこの表示体によって着色する場合乃至模様付けする場合に、予め定める適正な位置にこれらを的確に施すことが可能にもなっている。
【発明の効果】
【００２９】
従って、本発明は以上の構成から、表示装置本体部を構成する取付基板、表示灯基板、表示灯カバーの三者を個別に形成しのち、上記取付基板を中心にして抱き合せに組んだところに筒形に形成する表示体を被せ、これを加熱収縮することによって上記抱き合せ状態に一体に組立て、完成することができるため、上記取付基板と表示灯基板の組付けは固より、狭い中に表示灯カバーとの係止手段を形成することなく、簡単に組立られることになる。
【００３０】
しかも、本発明によれば表示体にはフィルムの状態において自由に着色し、或は印刷等によって色付けする外、絵柄等の模様付けができることから、上記結束の作業と同時に表示灯カバーの表面に自由な装飾を施すことが可能になる。
また、上記表示体はフィルム状態において印刷することができることから模様等の表現が容易であるばかりでなく、この表示体は変化のある凸弧面部にも馴染んで密着することから凹凸変化のある表示灯カバーの表面にも密着して美麗な模様等をそのまゝ表現することができることになる。
【００３１】
また、この様な構成から表示装置本体部を構成する取付基板及び表示灯カバーを係止手段を除いて単純な形状に成形することができる一方、各部は一つの表示体による結束で組立られることから、再使用、再利用に当ってはこの表示体を切断することで各部を分離することができ、従って部品の回収並びに使用材料毎の分別が極めて容易に行える利点がある。
次に、本発明を実施の形態に従って更に説明し、その特徴とするところを詳述することにする。
【発明を実施するための最良の形態】
【００３２】
図１は、本発明に係る表示装置の使用状態を説明する正面図であり、図２は表示装置の正面図、図３は取付基板の正面図、図４は同じく背面図、図５は使用状態における表示装置の中央縦断右側面図であり、図６は図２のＡ−Ａ線断面図、図７は分解斜視図、図８は表示体の斜視図である。
図面において、１は遊技盤であり、２は発射打球を誘導するためのバンド、３はバンドの外側に配置した表示灯装置、４は可変表示装置、５は可変入賞口、６はその他の入賞口であり、７は風車、８は前記バンド２の内側左右に設置しサイドランプとして使われる本発明に係る表示装置である。
【００３３】
表示装置８は、図２以下に示すように、取付基板９、表示灯基板１０、表示灯カバー１１を以て表示装置本体部８ａを構成する一方、この表示装置本体部８ａを結束し、組立る表示体１２との組合せによって構成される。
取付基板９は合成樹脂を材料に板状にしてその中央部分を切り抜き、略上下に長い楕円形に形成してあり、切り抜きによって形成された開口１３の周縁部に沿って表示灯カバー１１の縁部を受ける凹部１４を形成している（図７参照）。そして、肉厚に残した上下の縁部には遊技盤１にねじ止めする透孔１５を開設している。
【００３４】
表示灯基板１０は、取付基板９に開設する切り抜き部分を上下に渡る縦長の板状に形成するプリント基板を主体としており、上面には表示灯、つまり光源となるＬＥＤ１６を複数個配置し、埋設するプリント配線に接続する一方、下面にはコネクタ１７を介してリード線１８を接続している。そして、前記凹部１４に渡る上下両端には後述する表示灯カバー１１と係合するための透孔１９を設けている。
【００３５】
一方、表示灯カバー１１は光透過性の合成樹脂を材料に前記取付基板９の楕円形の凹部１４の形状に合せて舟形に形成している。
この表示灯カバー１１は、ＬＥＤ１６、つまり表示灯の光を透過させる上から透明、若しくは半透明の材料で成形することになるが、無着色であつても、また着色するものであってもよい。
この表示灯カバー１１の表面、つまり舟底に相当する表面部分には横断する方向に表示体１２を受け入れる浅い凹部２０を形成し、この凹部の中に小突起２１を形成すると共に裏面には成形時にダイヤカット２２を施して光を乱反射するようにしてある（図５を参照）。
【００３６】
そして、表示灯カバー１１の縁部２３の上端と下端には前記表示灯基板１０の透孔１９に突入させる突起２４，２４を設けている。
この表示灯カバー１１は、前記取付基板９に表示灯基板１０を添わせて開口１３に縦向きに渡したところで、この表示灯基板１０を被うように取付基板９に添わせて組合せることになる。このとき、表示灯カバー１１の縁部２３を取付基板９の凹部１４に衝き合せて位置合せすると同時に、この縁部の突起２４，２４を表示灯基板１０の透孔１９に突き入れ、この表示灯基板を抑えて取付基板９、表示灯基板１０、表示灯カバー１１の表示装置本体部８ａを構成する三者の位置合せを行うことになる。
【００３７】
表示体１２は、熱収縮性の合成樹脂製の延伸フィルムを材料に成形することになるが、ここではポリ塩化ビニルを材料に成形してある。図８に示したようにその表面には表示装置８に表現する絵柄２５を適宜配置してある。
この表示体１２は、筒形に形成するのに先立ってフィルムの状態においてその表面に上記絵柄２５を印刷等によって表現しておくことになり、この絵柄２５を表現したフィルムを表示体１２としての筒の長さに合せて同一の幅員をもつテープ状に切断し、次にこのテープの両端を接合することで筒形に形成することになる。
【００３８】
従って、表示体１２に表現される絵柄２５は平面をなすフィルムの状態において描かれることから、容易に形成できると同時に、印刷による表現も自由であることから複雑な絵柄であっても、また多色刷りによって色彩に富んだ絵柄とすることもでき、これらを容易に表現することができることになる。
尚、表示体１２の筒形は、前記表示装置本体部８ａの胴周りに合せて、これを受け入れられる内径に形成することになる。
【００３９】
この表示体１２は、前記表示装置本体部８ａを組合せたところで、これを挿し通して取付基板９と表示灯カバー１１の中央部に巻付け、その状態に保って表示灯カバー１１に巻付く部分をその表面に形成する前記凹部２０に添わせる。そうした状態において、この表示体１２を収縮する温度で加熱し、収縮によって取付基板と表示灯カバーの表面に密着させ、この両者を一体に結合して表示装置８を完成させるのである。
【００４０】
上記収縮することで密着する表示体１２は、表示灯カバー１１の凹部２０に喰い込んで一体となり、上下への移動が拘束されると同時に、この凹部に突設する小突起２１がフィルムに喰い込むことで周方向への移動も拘束されることになる。
尚、上記小突起２１は図示するものではカバー１１の頂部に当る中央部分に突設してあるが、外見されない側面部や取付基板の適所に突設してもよい。更には、前記表示灯カバー１１の裏面側に形成したダイヤカット２２を表面側の凹部２０に形成して小突起２１に代えて表示体１２のずれ止めとしてもよい。
【００４１】
ところで、表示体１２の収縮作業時にこれに表現する絵柄２５が定位置から外れないように絵柄の中に位置決め点２６を設けておくとよい。これを凹部２０の一定位置に合せて加熱収縮すると、表示灯カバー１１に対する絵柄の表示位置のずれを防いで適正な位置に表現することができる。
この場合、上記凹部２０の一定位置として前記小突起２１の１つを定め、この小突起２１と上記位置決め点２６とを合せるようにして表示灯カバー１１と表示体１２との位置合せを行なうようにしてもよい。
【００４２】
この様にして表示体１２の収縮によって結束され、組立られた表示装置８は、従来のこの種装置と同様に遊技盤１の取付位置に前面側から添わせ、遊技盤１に開設する孔２７に前記リード線１８を通してのち、透孔１５にねじ２８を通して遊技盤に固定し、使用に供されることになる。
【００４３】
この表示装置８は、上記の如く構成されることから、表示灯カバー１１に直接着色することも、また絵柄を表現する必要もなく、この表示灯カバー１１に代って表示体１２に色彩や絵柄２５を表現することができるため、簡単に色付け、或は装飾を施した表示装置を得ることができる。
しかも、上記表示体１２は前述したように平面的なフィルムの状態で絵柄を印刷によって表現することが可能であることから複雑な構図のものであっても、また多色なものであっても簡単に作成表現することができ、従って極めて変化に富んだ表示装置を提供することができることになる。
【００４４】
また、この様に表示体１２によって装飾することから、この表示体１２を異なる着色、絵柄のものに代えることで、異なる表示装置に変更することができ、従って、基本部分、つまり表示装置本体部８ａを共通のものにして表示体１２を代えることで簡単に各種装飾を異にした表示装置を得ることができることになる。
【００４５】
また本発明は、上記表示装置本体部８ａを共通化する中で、表示体１２による結束のみで組立られる構造に係ることから、使用後にこの表示体１２をカッター等で切断すると、簡単に部品毎に分解することができるため、再使用のために部品を回収する際、或は再利用に当って分別する場合に極めて便利であり、作業上有利である。
【図面の簡単な説明】
【００４６】
【図１】使用状態を説明する正面図。
【図２】本発明に係る表示装置の正面図。
【図３】取付基板の正面図。
【図４】表示灯基板を取付けた状態における取付基板の背面図。
【図５】使用状態における中央縦断右側面図。
【図６】図２のＡ−Ａ線断面図。
【図７】分解斜視図。
【図８】表示体の斜視図である。
【符号の説明】
【００４７】
８          本発明に係る表示装置
８ａ        表示装置本体部
９          取付基板
１０        表示灯基板
１１        表示灯カバー
１２        表示体
１６        表示灯たるＬＥＤ  
２０        表示灯カバーに設けた凹部
２１        小突起
２２        ダイヤカット
２３        表示灯カバーの縁部
２５        絵柄
２６        位置決め点
【図１】
2007175386.tif 000003
【図２】
2007175386.tif 000004
【図３】
2007175386.tif 000005
【図４】
2007175386.tif 000006
【図５】
2007175386.tif 000007
【図６】
2007175386.tif 000008
【図７】
2007175386.tif 000009
【図８】
2007175386.tif 000010